(57)【要約】【課題】ある一定の輝度を上回る輝度値を有する画像が入力された場合においても、表示する画像の視野角特性を改善する表示装置を提供する。【解決手段】表示装置（１）は、画素毎に複数の副画素を有する表示パネルを駆動する駆動手段（１４）であって、副画素毎に輝度を異ならせるよう上記表示パネル（１７）を駆動する駆動手段と、上記駆動手段に供給する画像信号のダイナミックレンジを圧縮する圧縮手段（１０）とを備えている。【選択図】  図１
2014186275.tif 000002
【特許請求の範囲】
【請求項１】
画素毎に複数の副画素を有する表示パネルを駆動する駆動手段を備えた表示装置であって、
上記駆動手段は、副画素毎に輝度を異ならせるよう上記表示パネルを駆動するものであり、
当該表示装置は、上記駆動手段に供給する画像信号のダイナミックレンジを圧縮する圧縮手段を備えていることを特徴とする表示装置。
【請求項２】
当該表示装置は、静止画を表示する静止画表示モードを含む複数の表示モードにて動作するものであり、
上記圧縮手段は、上記静止画表示モードにおいて、上記駆動手段に供給する画像信号のダイナミックレンジを圧縮するものである
ことを特徴とする請求項１に記載の表示装置。
【請求項３】
上記圧縮手段は、上記画像信号のダイナミックレンジを、圧縮前の略７０パーセントに圧縮する
ことを特徴とする請求項１または２に記載の表示装置。
【請求項４】
請求項１から３の何れか１項に記載の表示装置を備えていることを特徴とするテレビジョン受像機。
【請求項５】
画素毎に複数の副画素を有する表示パネルを備えた表示装置の制御方法であって、
画像信号のダイナミックレンジを圧縮する圧縮ステップと、
上記圧縮ステップにて圧縮された画像信号のダイナミックレンジに基づいて、副画素毎に輝度を異ならせるよう上記表示パネルを駆動する駆動ステップと、
を含んでいることを特徴とする表示装置の制御方法。
【発明の詳細な説明】
【技術分野】
【０００１】
本発明は、複数の副画素を有する表示パネルを備えた表示装置、および、そのような表示装置を備えたテレビジョン受像機に関する。また、複数の副画素を有する表示パネルを備えた表示装置の制御方法に関する。
【背景技術】
【０００２】
近年、大型の表示パネルを有する液晶テレビにおいて、ユーザがテレビを視聴していない時（例えば、電源ＯＦＦ時）には、表示パネルに絵画などの静止画を表示する静止画表示モード（壁紙モードとも呼ぶ）が搭載された液晶テレビが開発されている。壁紙モードは、大型の表示パネルの黒色が部屋のインテリアとしてそぐわないという観点から開発されたものである。壁紙モードを搭載することにより、テレビ視聴時以外には、液晶テレビは表示パネルに静止画を表示するため、液晶テレビにインテリアとしての付加価値を与えることができる。
【０００３】
液晶テレビが壁紙モードにおいて静止画を表示している場合には、通常のテレビ視聴時と比較して、様々な角度から視聴されることが想定される。そのため、液晶テレビの壁紙モードにおける視野角特性を向上する技術が求められている。液晶テレビの視野角特性を向上させるための技術として、下記の特許文献１〜４がある。
【０００４】
特許文献１には、複数の表示画像素子がマトリックス配列された液晶表示装置を線順次により操作するに際して、１フィールド期間に少なくとも２回以上１画素に信号書き込みを行う事により、中間調表示における反転現象を防止し、液晶表示装置の視野角特性を改善する技術が開示されている。
【０００５】
また、特許文献２には、視野角情報入力部に入力された要求視野角に応じて液晶パネルに表示された表示画像の一部の色を変更して、表示画像の視野角を変更することで、視野角特性を改善する技術が開示されている。
【０００６】
また、特許文献３には視野角依存性が小さい階調輝度を含む画素を用いて複数個の画素輝度の合成によって１表示単位を表し、中間調表示を行う事により、視野角依存性の少ない中間調表示を実現する技術が開示されている。
【０００７】
また、特許文献４には、複数の画素を備えた液晶表示装置において、当該画素が有する２つの副画素の電圧−透過率特性を互いに異ならせることにより、２つの副画素の輝度を異ならせ、表示パネルの視野角特性を改善する技術が開示されている。
【先行技術文献】
【特許文献】
【０００８】
【特許文献１】特開平５−６８２２１号公報（１９９３年３月１９日公開）
【特許文献２】特開２００７−１６３８４３号公報（２００７年６月２８日公開）
【特許文献３】特開平７−１２０７２４号公報（１９９５年５月１２日公開）
【特許文献４】特開２００４−６２１４６号公報（２００４年２月２６日公開）
【発明の概要】
【発明が解決しようとする課題】
【０００９】
本発明の発明者らは、特許文献４に示すような副画素の輝度を互いに異ならせることによって視野角特性を改善させる場合に、ある一定の輝度を上まわる輝度を表示する画素においては、各々の副画素間の輝度の差が小さくなり、視野角の改善が見込めない場合が生じ得るという課題を見出した。
【００１０】
本発明は、上記の課題に鑑みてなされたものであり、その目的は、ある一定の輝度を上回る輝度値を有する画像が入力された場合においても、表示する画像の視野角特性を改善することができる表示装置を提供することにある。
【課題を解決するための手段】
【００１１】
上記の課題を解決するために、本発明の一態様に係る表示装置は、画素毎に複数の副画素を有する表示パネルを駆動する駆動手段を備えた表示装置であって、上記駆動手段は、副画素毎に輝度を異ならせるよう上記表示パネルを駆動するものであり、当該表示装置は、上記駆動手段に供給する画像信号のダイナミックレンジを圧縮する圧縮手段を備えていることを特徴としている。
【００１２】
また、上記の課題を解決するために、本発明の一実施形態に係る表示装置の制御方法は、画素毎に複数の副画素を有する表示パネルを備えた表示装置の制御方法であって、画像信号のダイナミックレンジを圧縮する圧縮ステップと、上記圧縮ステップにて圧縮された画像信号のダイナミックレンジに基づいて、副画素毎に輝度を異ならせるよう上記表示パネルを駆動する駆動ステップと、を含んでいることを特徴としている。
【発明の効果】
【００１３】
本発明の一態様によれば、ある一定の輝度を上回る輝度値を有する画像が入力された場合においても、表示する画像の視野角特性を改善する表示装置を提供することができる。
【図面の簡単な説明】
【００１４】
【図１】本発明の一実施形態に係る表示装置の構成を示すブロック図である。
【図２】本発明の一実施形態に係る表示装置が行う処理の手順を示すフローチャートである。
【図３】本発明の一実施形態に係る表示装置のガンマ特性と、従来技術を用いた表示装置のガンマ特性とを比較するためのグラフである。
【発明を実施するための形態】
【００１５】
本明細書の以降の説明においては、表示装置としてテレビジョン受像機を例にして述べるが、画像信号に基づいて画像を表示することが可能な表示装置であればよい。すなわち、外部機器からの画像信号の入力を受け付けて画像を表示することが可能なディスプレイ装置、携帯型電子端末、デジタルサイネージ等であってもよい。また、本明細書における「映像」には、動画像だけではなく、静止画像も含まれている。
【００１６】
〔実施形態１〕
以下、本発明の実施の形態について、図１〜３を参照しながら詳細に説明する。なお、本実施形態に係る表示装置１の備える表示パネル（不図示）として、ＲＧＢＹの４原色パネルを採用しているが、本発明はこれに限定されるものではない。また、本実施形態に係る表示装置１の備える表示パネルは、複数の画素を備えており、各画素はさらに複数の副画素を備えている。以下では、当該画素が有する２つの副画素の電圧−透過率特性を互いに異ならせるように駆動させることにより、２つの副画素の輝度を異ならせ、表示パネルの視野角特性を改善することを「マルチ画素駆動を行う」と呼称することもある。
【００１７】
（表示装置１について）
図１は、本実施形態に係る表示装置１の要部構成を示すブロック図である。図１に示すように、表示装置１は、チューナ部２、外部入力部３、入力切替部４、３ＤＹＣ分離回路５、ＡＤ変換回路６、色空間変換回路７、画像処理制御部８、表示モード切替部９、信号レベル圧縮回路１０、倍速変換処理部１１、４色変換処理部１２、液晶タイミングコントロール部１３、マルチ画素駆動制御部１４、マイコン制御部１５、ＬＥＤドライバ回路１６、および表示部１７を備えている。表示装置１は、その他、ＣＰＵおよびメモリ（不図示）を備えており、表示装置１の動作は、ＣＰＵおよびメモリに記憶された各種の制御プログラムにより制御される。即ち、図１に示された表示装置１では、ＣＰＵを含むコンピュータ・システムによって制御されており、表示装置１をコンピュータ・システムによって動作させるためのプログラムはメモリ（不図示）に記憶されている。
【００１８】
チューナ部２は、アナログおよびデジタル放送受信用のアンテナ２０を介して、アナログおよびデジタル放送信号（映像信号とも呼ぶ）を受信する。チューナ部２は、受信した映像信号を入力切替部４に送信する。
【００１９】
外部入力部３には、携帯電話、ＨＤＤ、ＳＤカード等の固体メモリ、ＢＤ（ブルーレイディスク）、ＤＶＤ、ＣＤ等のディスク装置等、種々の外部機器（記録媒体）３０が接続可能とされており、表示装置１は、外部入力部３に接続された外部機器３０を介して映像信号を受信する。外部入力部３は、受信した映像信号を入力切替部４に送信する。
【００２０】
入力切替部４は、チューナ部２および外部入力部３から受信した映像信号のフォーマットに応じて以下の処理を行う。（１）受信した映像信号がアナログＳＤ（Standard Definition）入力に対応した信号である場合、入力切替部４は、映像信号を３ＤＹＣ分離回路５へ送信する。（２）受信した映像信号がアナログＨＤ（High Definition）入力に対応した信号である場合、入力切替部４は、映像信号をＡＤ変換回路６へ送信する。（３）受信した映像信号がアナログＳＤおよびアナログＨＤ入力に対応した信号ではない場合、すなわち、受信した映像信号がデジタル入力である場合、入力切替部４は、映像信号を色空間変換回路７へ送信する。
【００２１】
３ＤＹＣ分離回路５は、入力切替部４から受信したアナログＳＤ入力に対応するコンポジット映像信号を輝度信号（Ｙ）と色信号（Ｃ）とに分離し、コンポーネント映像信号に変換する。３ＤＹＣ分離回路５は、変換したコンポーネント映像信号をＡＤ変換回路６に送信する。
【００２２】
ＡＤ変換回路６は、入力切替部４から受信したアナログＨＤ入力に対応する映像信号、または３ＤＹＣ分離回路５から受信した、コンポーネント映像信号をデジタル信号に変換する。ＡＤ変換回路６は、デジタル変換した映像信号を色空間変換回路７に送信する。
【００２３】
色空間変換回路７は、入力切替部４から受信したデジタル入力に対応する映像信号、または、ＡＤ変換回路６から受信した映像信号の色空間信号を、をＲＧＢ表色系の色空間信号から色差信号（ＹＰｂＰｒ等）色空間で表現される表色系の色空間信号へ変換する。色空間変換回路７は、変換した映像信号を画像処理制御部８へ送信する。
【００２４】
画像処理制御部８は、色空間変換回路７から受信した映像信号に対して、各種の画質調整処理を行った後、該映像信号の色空間信号を色差信号からＲＧＢ信号に変換する。画像処理制御部８は、画質調整処理および色空間信号の変換が施された映像信号を表示モード切替部９に送信する。なお、表示装置１に入力された映像信号に対して、画質調整処理を行う必要がない場合には、画像処理制御部８は省略してもよい。
【００２５】
表示モード切替部９は、表示装置１の表示モードを切り替える。ここで、表示モードは、ユーザがＴＶを視聴するために設定される通常ＴＶモード、および、ユーザがＴＶを視聴していない（例えば、電源ＯＦＦ時）場合に設定される静止画表示モード（壁紙モードとも呼ぶ）を含んでいる。表示モード切替部９は、表示装置１の表示モードを通常ＴＶモード、または壁紙モード以外の他のモードに切り替えた場合には、画像処理制御部８から受信した映像信号を倍速変換処理部１１へ送信する。また、表示モード切替部９は、表示モードを壁紙モードに切り替えた場合には、壁紙モードにおいて表示する静止画像を示す映像信号を信号レベル圧縮回路１０へ送信する。壁紙モードにおいて表示する静止画像を示す画像データは、予めメモリ（不図示）等に格納してもよい。なお、表示モードの切り替えのトリガとして、ユーザからの指示を受け付ける構成としてもよい。また、壁紙モードへの切り替えのトリガとして、ユーザにより電源がＯＦＦされたことをトリガとしてもよいし、表示装置１の視聴状態を検知するセンサ（不図示）からの視聴状態を示す情報をトリガとしてもよい。
【００２６】
信号レベル圧縮回路１０は、表示モード切替部９から受信した映像信号の信号レベルを圧縮する。より具体的には、映像信号のダイナミックレンジを圧縮前の略７０パーセントに圧縮する。ここで、略７０パーセントとは、例えば６５パーセントから７５パーセントまでの範囲を指す。少なくともこの範囲であれば、本実施形態に係る表示装置１は、画像信号の示す画像の輝度値を、ある一定の輝度値を下回るように圧縮することができる。また、略７０パーセントという値は、本実施形態において、表示パネルが、最高輝度の７０パーセント以上の輝度を表示した場合に、マルチ画素駆動を行ったとしても視野角特性を改善する効果が薄れるという現象に基づいて決定したものである。より一般には、表示パネルの特性として、最高輝度のＲパーセント（０＜Ｒ＜１００）以上の輝度を表示した場合に、マルチ画素駆動を行ったとしても視野角特性を改善する効果が薄れる場合には、圧縮手段によるダイナミックレンジの圧縮率を略Ｒパーセントとすればよい。信号レベル圧縮回路１０は、ダイナミックレンジを圧縮した映像信号を倍速変換処理部１１へ送信する。
【００２７】
倍速変換処理部１１は、表示モード切替部９または信号レベル圧縮回路１０から受信した映像信号に対して、周波数を２倍にするいわゆる倍速変換処理を行う。例えば、６０フレーム／秒（Ｈｚ）の映像信号を１２０フレーム／秒（Ｈｚ）に変換する。倍速変換処理部１１は、倍速変換処理が行われた映像信号を４色変換処理部１２へ送信する。
【００２８】
４色変換処理部１２は、倍速変換処理部１１から受信した映像信号の色信号を、ＲＧＢの３色からＲＧＢＹの４色の色信号に変換する。なお、本実施形態においては、表示部１７の備える表示パネル（不図示）として、ＲＧＢＹの４原色パネルを用いた場合について説明するが、本発明はこれに限定されるものではなく、５原色、またはそれ以上の多原色パネルを用いてもよい。上記の場合には、４色変換処理部１２は、映像信号の色信号を、ＲＧＢの３色から５色、またはそれ以上の多色の色信号に変換する構成とすればよい。
【００２９】
ここで、液晶パネルの視野角特性は、ＲＧＢの各色についてそれぞれ異なっており、各色において、視野角特性が悪くなる輝度が存在する。したがって、いずれかの色信号の視野角特性が悪くなる輝度に設定されていた場合に、斜視の場合において、本来表示しようとする色と異なる色が表示されてしまうことになる。
【００３０】
４色変換処理部１２は、信号レベル圧縮回路１０にてダイナミックレンジが圧縮された映像信号におけるＲＧＢの３色の色信号について、視野角特性が悪くなる輝度であるか否かを検出する。ＲＧＢの３色の色信号うち、いずれかの色信号の視野角特性が悪くなる輝度である場合に、当該色信号を、当該色信号以外の他の色信号の組み合わせにより再現する。例えば、ＲＧＢの３色の輝度値を互いに等しくすることにより白色を表示する方法が一般的である。ダイナミックレンジが圧縮された映像信号の白色の表現において、ＲまたはＧの視野角特性が悪くなる輝度である場合には、ＲまたはＧを用いずに、Ｙの色信号とＢの色信号との組み合わせにより、白色を再現することが可能である。また、Ｂの視野角特性が悪くなる輝度である場合にも、Ｙの色信号と、ＲまたはＧの色信号との組み合わせにより、白色を再現することが可能である。このように、ある色(例えば肌色等)を再現する方法として、各色の組み合わせが何通りも存在している。したがって、４色変換処理部１２は、最も視野角特性が高くなるような色信号の組み合わせを用いて、映像信号の色信号を再現することにより、表示装置１の視野角特性をさらに改善することができる。なお、上述のように本実施形態においては、表示部１７の備える表示パネル（不図示）として、ＲＧＢＹの４原色パネルを用いた場合について説明している。表示パネルとして、５原色、またはそれ以上の多原色パネルを用いている場合には、ある色(例えば肌色等)を再現する各色の組み合わせが、さらに増加することになる。すなわち、表示装置１の視野角特性をさらに改善することができる。４色変換処理部１２は、４色の色信号に変換した映像信号を液晶タイミングコントロール部１３へ送信する。
【００３１】
液晶タイミングコントロール部１３は、４色変換処理部１２から受信した映像信号を、表示部１７に表示することが可能な映像フォーマットに変換し、変換した映像信号をマルチ画素駆動制御部１４へ送信する。また、液晶タイミングコントロール部１３は、表示部１７のバックライト（不図示）を点灯させるタイミングを制御するため、表示制御部へ送信する映像信号に同期した制御信号をＬＥＤドライバ回路１６に送信する。
【００３２】
ＬＥＤドライバ回路１６は、マイコン制御部１５により制御されている。液晶タイミングコントロール部１３から制御信号を受信したＬＥＤドライバ回路１６は、受信した制御信号に従って、表示部１７のバックライトに制御信号を送信し、ＬＥＤの点灯を制御する。
【００３３】
マルチ画素駆動制御部１４は、液晶タイミングコントロール部１３から受信した映像信号の示す画像を表示するように、表示部１７の表示パネル（不図示）の備える画素の駆動を制御する。より具体的には、マルチ画素駆動制御部１４は、表示パネルの備える画素の駆動を制御する制御信号を表示部１７の表示制御部（不図示）へ送信する。本実施形態に係る表示装置１は、１画素を２分割した２つの副画素を有している。マルチ画素駆動制御部１４は、２つの副画素の電圧―透過率特性を互いに異ならせるように制御することにより、表示装置１の視野角特性を改善する。マルチ画素駆動制御部１４は、映像信号と、画素の駆動を制御する制御信号とを表示部１７の表示制御部へ送信する。
【００３４】
表示部１７は、上述したように、表示制御部とバックライトとを備えており、表示制御部に送られた映像信号と、バックライトに送られた制御信号とを同期させることにより映像を表示する。
【００３５】
以上のように、本実施形態に係る表示装置１は、ある一定の輝度を上回る輝度値を有する画像が入力された場合に、当該画像を示す映像信号のダイナミックレンジを圧縮する。さらに、表示装置１は、映像信号の色信号をＲＧＢの３色からＲＧＢＹの４色の色信号に変換する。この際、圧縮したダイナミックレンジにおいて、各色の色信号のうち、いずれかの色信号の視野角特性が悪くなる輝度値が設定されている場合には、当該色信号以外の他の色信号の組み合わせにより、当該色信号が表示する色と同一の色を再現する。これにより、表示パネルに表示される画像に含まれる各画素の輝度は、ある一定の輝度よりも低い輝度に圧縮される。
【００３６】
したがって、上記の構成によれば、ある一定の輝度を上回る輝度値を有する画像が入力された場合においても、表示する画像の視野角特性を改善することができる。
【００３７】
（表示装置１の処理の手順について）
以下では、図２を参照しながら、本実施形態に係る表示装置１が行う処理の手順について説明する。図２は、本実施形態に係る表示装置１が行う処理の手順を示すフローチャートである。
【００３８】
初めに、表示装置１に映像信号が入力される（ステップＳ１）。この際に入力される映像信号としては、アンテナ２０を介してチューナ部２が受信したアナログおよびデジタル放送信号であってもよいし、外部機器３０を介して外部入力部３が受信した映像信号であってもよい。映像信号を受信したチューナ部２または外部入力部３は、受信した映像信号を入力切替部４に送信する。
【００３９】
続いて、入力切替部４は、受信した映像信号がアナログＳＤ入力に対応した信号であるかを判別する（ステップＳ２）。受信した映像信号がアナログＳＤ入力に対応した信号である場合（ステップＳ２にてＹＥＳ）、入力切替部４は、受信した映像信号を３ＤＹＣ分離回路５へ送信する。受信した映像信号がアナログＳＤ入力に対応した信号でない場合（ステップＳ２にてＮＯ）、入力切替部４は、受信した映像信号がアナログＨＤ入力に対応した信号であるかを判別する（ステップＳ３）。受信した映像信号がアナログＨＤ入力に対応した信号である場合（ステップＳ３にてＹＥＳ）、入力切替部４は、受信した映像信号をＡＤ変換回路６へ送信する。受信した映像信号がアナログＨＤ入力に対応した信号でない場合（ステップＳ３にてＮＯ）、入力切替部４は、受信した映像信号はデジタル入力であると判断し、受信した映像信号を色空間変換回路７へ送信する。
【００４０】
続いて、アナログＳＤ入力に対応したコンポジット映像信号を受信した３ＤＹＣ分離回路５は、映像信号を輝度信号（Ｙ）と色信号（Ｃ）とに分離し、コンポーネント映像信号に変換する。３ＤＹＣ分離回路５は、変換したコンポーネント映像信号をＡＤ変換回路６に送信する（ステップＳ４）。
【００４１】
続いて、ＡＤ変換回路６は、入力切替部４からアナログＨＤ入力に対応する映像信号、または３ＤＹＣ分離回路５からコンポーネント映像信号を受信する。ＡＤ変換回路６は、受信した映像信号をデジタル信号に変換し、映像信号を色空間変換回路７に送信する（ステップＳ５）。
【００４２】
続いて、色空間変換回路７は、入力切替部４からデジタル入力に対応する映像信号、または、ＡＤ変換回路６から映像信号を受信する。色空間変換回路７は、受信した映像信号の色空間信号を、ＲＧＢ表色系の色空間信号から色差信号（ＹＰｂＰｒ等）色空間で表現される表色系の色空間信号へ変換する。色空間変換回路７は、変換した映像信号を画像処理制御部８へ送信する（ステップＳ６）。
【００４３】
続いて、色空間変換回路７から映像信号を受信した画像処理制御部８は、映像信号に対して、各種の画質調整処理を行った後、該映像信号の色空間信号を色差信号からＲＧＢ信号に変換する（ステップＳ７）。画像処理制御部８は、画質調整処理および色空間信号の変換が施された映像信号を表示モード切替部９に送信する。
【００４４】
続いて、表示モード切替部９は、表示装置１の表示モードを切り替える。表示モード切替部９が切り替えた表示モードが静止画表示モードである場合（ステップＳ８にてＹＥＳ）、表示モード切替部９は、壁紙モードにおいて表示するために予めメモリ（不図示）等に格納されている静止画像を示す映像信号を信号レベル圧縮回路１０へ送信する。表示モード切替部９が切り替えた表示モードが静止画表示モードではない場合（ステップＳ８にてＮＯ）、表示モード切替部９は、画像処理制御部８から受信した映像信号を、倍速変換処理部１１へ送信する。
【００４５】
続いて、信号レベル圧縮回路１０は、表示モード切替部９から受信した映像信号のダイナミックレンジを圧縮前の略７０パーセントに圧縮する。信号レベル圧縮回路１０は、ダイナミックレンジを圧縮した映像信号を倍速変換処理部１１へ送信する（ステップＳ９）。
【００４６】
続いて、倍速変換処理部１１は、表示モード切替部９または信号レベル圧縮回路１０から受信した映像信号に対して、周波数を２倍にする倍速変換処理を行う。倍速変換処理部１１は、倍速変換処理が行われた映像信号を４色変換処理部１２へ送信する（ステップＳ１０）。
【００４７】
続いて、４色変換処理部１２は、倍速変換処理部１１から受信した映像信号を、ＲＧＢ３色からＲＧＢＹの４色に変換する。４色変換処理部１２は、ＲＧＢの３色について、視野角特性が悪くなる輝度が設定されている場合に、当該他の色の組み合わせにより同一の色を再現する。４色変換処理部１２は、４色変換を施した映像信号を液晶タイミングコントロール部１３へ送信する（ステップＳ１１）。
【００４８】
続いて、倍速変換処理部１１から映像信号を受信した液晶タイミングコントロール部１３は、映像信号を表示部１７に表示することが可能な映像フォーマットに変換し、変換した映像信号をマルチ画素駆動制御部１４へ送信する（ステップＳ１２）。この際、液晶タイミングコントロール部１３は、表示部１７のバックライト（不図示）を点灯させるタイミングを制御するため、表示制御部へ送信する映像信号に同期した制御信号をＬＥＤドライバ回路１６に送信する。さらに、液晶タイミングコントロール部１３から制御信号を受信したＬＥＤドライバ回路１６は、受信した制御信号に従って、表示部１７のバックライトに制御信号を送信し、ＬＥＤの点灯を制御する。
【００４９】
続いて、マルチ画素駆動制御部１４は、液晶タイミングコントロール部１３から受信した映像信号の示す画像を表示するように、表示部１７の表示パネル（不図示）の備える画素の駆動を制御する制御信号を表示部１７の表示制御部（不図示）へ送信する。マルチ画素駆動制御部１４は、映像信号と、画素の駆動を制御する制御信号とを表示部１７の表示制御部へ送信する（ステップＳ１３）。
【００５０】
続いて、表示部１７は、表示制御部に送られた映像信号と、バックライトに送られた制御信号とを同期させることにより映像を表示する（ステップＳ１４）。
【００５１】
以上の手順により、本実施形態に係る表示装置１は、壁紙モードにおいて表示部１７に静止画を表示する際の視野角特性を改善することができる。
【００５２】
（表示装置１の利点）
以下では、図３を参照しながら、本実施形態に係る表示装置１の利点について説明する。図３は、本実施形態に係る表示装置のガンマ特性と、従来技術を用いた表示装置のガンマ特性とを比較するためのグラフである。
【００５３】
図３の横軸は、入力信号の入力レベルを表しており、図３の縦軸は、出力輝度を表している。図３において、実線で示されている曲線が表示パネルに対して垂直な方向から見た場合（正面視）におけるガンマ曲線を表し、破線で示されている曲線が、従来技術を用いた表示装置の視野角３０°の位置から見た場合（斜視３０°）におけるガンマ曲線を表し、一点鎖線で示されている曲線が本実施形態に係る表示装置１の斜視３０°におけるガンマ曲線を表している。
【００５４】
図３に示すように、従来技術を用いた表示装置の斜視３０°におけるガンマ曲線は、正面視におけるガンマ曲線に対して、高い値を示している。すなわち、正面視と斜視とで、表示装置の表示する画像の見え方が異なっていることを示している。しかしながら、本実施形態に係る表示装置１の斜視３０°におけるガンマ曲線は、従来技術と比較して正面視におけるガンマ曲線に近い値を示している。すなわち、斜視においても、表示装置の表示する画像の見え方が正面視に近いことを示している。したがって、本実施形態に係る表示装置１は、従来技術と比較して視野角特性が改善されている。
【００５５】
したがって、本実施形態に係る表示装置１は、壁紙モードにおいて表示部１７に静止画を表示する際の視野角特性を改善することができる。
【００５６】
〔実施形態２〕
本発明の他の実施形態に係る表示装置１’について説明すれば、以下のとおりである。なお、説明の便宜上、前記実施形態にて説明した部材と同じ機能を有する部材については、同じ符号を付記し、その説明を省略する。
【００５７】
第１の実施形態に係る表示装置１においては、倍速変換処理部１１にて倍速変化処理を行った後に、当該映像信号を４色変換処理部１２に送信する構成について説明したが、これは本発明を限定するものではない。すなわち４色変換処理部１２は、本実施形態に係る表示装置１’においては必須の構成ではない。
【００５８】
本実施形態に係る表示装置１’は、第１の実施形態に係る表示装置１と同様に、チューナ部２、外部入力部３、入力切替部４、３ＤＹＣ分離回路５、ＡＤ変換回路６、色空間変換回路７、画像処理制御部８、表示モード切替部９、信号レベル圧縮回路１０、倍速変換処理部１１、液晶タイミングコントロール部１３、マルチ画素駆動制御部１４、マイコン制御部１５、ＬＥＤドライバ回路１６、および表示部１７を備えている。すなわち、表示装置１’は、４色変換処理部１２を備えていないこと以外は、表示装置１と同様の構成である。また、表示装置１’の備える各部の動作についても、対応する表示装置１の備える各部の動作とほぼ同様であるため、その説明を省略する。
【００５９】
したがって、表示装置１’においては、倍速変換処理部１１は、倍速変換処理が行われた映像信号を液晶タイミングコントロール部１３へ送信する。また、液晶タイミングコントロール部１３は、倍速変換処理部１１から受信した映像信号を、表示部１７に表示することが可能な映像フォーマットに変換し、変換した映像信号をマルチ画素駆動制御部１４へ送信する。また、表示装置１’が行う処理の手順としては、図２におけるステップＳ１２を省略すればよい。
【００６０】
以上のように、本実施形態に係る表示装置１’は、ある一定の輝度以上の輝度値を有する画素を含む画像を表示する場合に、当該画像を示す映像信号のダイナミックレンジを圧縮する。これにより、表示パネルに表示される画像に含まれる各画素の輝度は、ある一定の輝度よりも低い輝度に圧縮される。
【００６１】
したがって、上記の構成によれば、ある一定の輝度を上回る輝度値を有する画像が入力された場合においても、表示する画像の視野角特性を改善することができる。
【００６２】
〔実施形態３〕
本発明のさらなる他の実施形態に係る表示装置１”について説明すれば、以下のとおりである。なお、説明の便宜上、前記実施形態にて説明した部材と同じ機能を有する部材については、同じ符号を付記し、その説明を省略する。
【００６３】
第１の実施形態においては、ダイナミックレンジを７０パーセントに圧縮する構成について説明したが、これは本発明を限定するものではない。
【００６４】
第１の実施形態に係る表示装置１においては、信号レベル圧縮回路１０にて映像信号のダイナミックレンジを略７０パーセントに圧縮する構成について説明したが、これは本発明を限定するものではない。本実施形態に係る表示装置１”においては、信号レベル圧縮回路１０における圧縮率を変更することが可能である。
【００６５】
本実施形態に係る表示装置１”は、第１の実施形態に係る表示装置１と同様に、チューナ部２、外部入力部３、入力切替部４、３ＤＹＣ分離回路５、ＡＤ変換回路６、色空間変換回路７、画像処理制御部８、表示モード切替部９、信号レベル圧縮回路１０、倍速変換処理部１１、４色変換処理部１２、液晶タイミングコントロール部１３、マルチ画素駆動制御部１４、マイコン制御部１５、ＬＥＤドライバ回路１６、および表示部１７を備えている。すなわち、表示装置１”は、表示装置１と同様の構成である。また、表示装置１”の備える各部の動作についても、対応する表示装置１の備える各部の動作とほぼ同様であるため、その説明を省略する。
【００６６】
本実施形態に係る表示装置１”は、信号レベル圧縮回路１０において、映像信号のダイナミックレンジを圧縮する際の圧縮率を適宜、変更することが可能である。
【００６７】
壁紙モードにおいて、表示装置１”が静止画を表示する場合には、一般的に画像の輝度よりも、視野角特性が優先される。これは、通常のＴＶ視聴時とは異なり、ユーザが様々な角度から表示装置を見た場合においても、同様の映像を見ることができる、すなわち、絵画を見ているかのように静止画を表示することが求められているからである。
【００６８】
したがって、第１の実施形態に係る表示装置１においては、映像信号のダイナミックレンジを圧縮することによって、視野角特性を改善している。
【００６９】
それに対し、本実施形態に係る表示装置１”は、壁紙モードにおいて表示される画像が、視野角特性よりも画像の輝度を優先したい画像であった場合にも用いることができる。上記の場合、表示装置１”は、信号レベル圧縮回路１０におけるダイナミックレンジを圧縮する際の圧縮率を、例えば、８０パーセント、９０パーセントなどのように、通常の７０パーセントよりも高い値に設定する。すなわち、ダイナミックレンジの圧縮率を変更することにより、壁紙モードにおいて表示する画像の種類に応じて、視野角特性および、画像の輝度の何れを優先するかを変更することができる。
【００７０】
以上のように、本実施形態に係る表示装置１”は、表示する画像を示す映像信号のダイナミックレンジを圧縮する際の圧縮率を変更することができる。
【００７１】
したがって、上記の構成によれば、壁紙モードにおいて表示する画像の種類に応じて、視野角特性および、画像の輝度の何れを優先するかを変更することができる。
【００７２】
〔まとめ〕
本発明の態様１に係る表示装置１は、画素毎に複数の副画素を有する表示パネル（表示部１７）を駆動する駆動手段（マルチ画素駆動制御部１４）を備えた表示装置であって、上記駆動手段は、副画素毎に輝度を異ならせるよう上記表示パネルを駆動するものであり、当該表示装置は、上記駆動手段に供給する画像信号のダイナミックレンジを圧縮する圧縮手段（信号レベル圧縮回路１０）を備えていることを特徴としている。
【００７３】
上記の構成によれば、圧縮手段は、駆動手段に供給する画像信号のダイナミックレンジを圧縮することにより、駆動手段に供給する画像信号の示す画像の輝度値をある一定の輝度値を下回るように調整する。駆動手段は、圧縮手段により圧縮されたダイナミックレンジに基づいて、副画素毎に輝度を異ならせるよう上記表示パネルを駆動する。副画素毎に輝度を異ならせるように駆動することにより、表示装置１は、表示パネルに表示する画像の視野角特性を改善することができる。
【００７４】
したがって、上記の構成によれば、表示装置１は、ある一定の輝度を上回る輝度値を有する画像が入力された場合においても、表示する画像の視野角特性を改善することができる。
【００７５】
本発明の態様２に係る表示装置１は、上記態様１において、静止画を表示する静止画表示モードを含む複数の表示モードにて動作するものであり、上記圧縮手段は、上記静止画表示モードにおいて、上記駆動手段に供給する画像信号のダイナミックレンジを圧縮するものである、ことが好ましい。
【００７６】
上記の構成によれば、圧縮手段は、静止画表示モードにおいて、駆動手段に供給する画像信号のダイナミックレンジを圧縮する。静止画表示モードにおいては、輝度値の高い画像を表示することは求められていないため、ダイナミックレンジを圧縮したとしても、所望の輝度値を有する画像を表示することができる。また、静止画表示モード以外の表示モードにおいては、画像信号のダイナミックレンジを圧縮しないため、視聴者に対して本来の品質の画像を表示することができる。
【００７７】
したがって、上記の構成によれば、静止画表示モードにおいて表示する画像の視野角特性を改善することができる。
【００７８】
本発明の態様３に係る表示装置１は、上記態様１において、上記圧縮手段は、上記画像信号のダイナミックレンジを、圧縮前の略７０パーセントに圧縮することが好ましい。
【００７９】
上記の構成によれば、圧縮手段は、画像信号のダイナミックレンジを、圧縮前の略７０パーセントに圧縮する。ここで、略７０パーセントとは、例えば６５パーセントから７５パーセントまでの範囲を指す。少なくともこの範囲であれば、表示装置１は、上述した効果を奏する。また、略７０パーセントという値は、表示パネルが、最高輝度の７０パーセント以上の輝度を表示した場合に、マルチ画素駆動を行ったとしても視野角改善の効果が薄れるという現象に基づいて決定したものである。
【００８０】
したがって、上記の構成によれば、表示する画像の視野角特性を、より確実に改善することができる。
【００８１】
本発明の態様４に係る表示装置１は、上記態様１〜３において、画像信号のＲＧＢの３色の色信号をＲＧＢＹの４色の色信号に変換する変換手段をさらに備え、上記駆動手段は、上記変換手段により変換されたＲＧＢＹの４色の色信号の組み合わせにより、当該表示装置が表示する画像のＲＧＢ各色を再現する、ことが好ましい。
【００８２】
上記の構成によれば、変換手段は、ＲＧＢの３色の色信号をＲＧＢＹの４色の色信号に変換する。また、駆動手段は、変換手段により変換されたＲＧＢＹの４色の色信号を用いて、表示装置１が表示する画像のＲＧＢ各色を再現することができる。すなわち、画像信号において、ＲＧＢの３色の色信号のうち、いずれかの色信号の視野角特性が悪くなる輝度が設定されている場合に、当該色信号以外の他の色信号の組み合わせにより、同一の色を再現することができる。
【００８３】
したがって、上記の構成によれば、表示する画像の視野角特性さらに改善することができる。
【００８４】
上記態様１から４のいずれかに係る表示装置１の上記各手段を備えていることを特徴とするテレビジョン受像機も本発明の範疇に含まれる。
【００８５】
本発明の態様６に係る表示装置の制御方法は、画素毎に複数の副画素を有する表示パネルを備えた表示装置の制御方法であって、画像信号のダイナミックレンジを圧縮する圧縮ステップと、上記圧縮ステップにて圧縮された画像信号のダイナミックレンジに基づいて、副画素毎に輝度を異ならせるよう上記表示パネルを駆動する駆動ステップと、
を含んでいることを特徴としている。
【００８６】
上記の方法によれば、上記の表示装置の同様の効果を奏する。
【００８７】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００８８】
本発明は、複数の副画素を有する表示パネルを備えた表示装置に好適に利用することができる。
【符号の説明】
【００８９】
１    表示装置（テレビジョン受像機）
１０    信号レベル圧縮回路（圧縮手段）
１４    マルチ画素駆動制御部（駆動手段）
１７    表示部（表示パネル）
【図１】
2014186275.tif 000003
【図２】
2014186275.tif 000004
【図３】
2014186275.tif 000005